(57)【要約】      （修正有）【課題】水を入れたり、被調理物を載せかえるような煩わしい作業を必要としない調理器であるとともに、従来と同じ美味しさの調理ができる食器兼用の蒸し器を提供する。【課題手段】容器本体１において、内側底面３を周辺部から中央部に向けて傾斜する凹状に形成し、該凹状に形成した表面は被調理品から出る肉汁や脂などの流動物が被調理品と接触しないために、周辺部から中央部に向かって、帯状の凸を放射線状に形成する。また、内側底面中央部には、流れ込む流動物を溜めることができる凹み５を形成する。【選択図】図１
0003160143.tif 000002
【実用新案登録請求の範囲】
【請求項１】
容器本体と蓋体で構成されている蒸し器の容器本体において、内側底面を周辺部から中央部に傾斜する凹状に形成し、該凹状に形成した表面は被調理物から出る肉汁や脂などが被調理物と接触しないために、周辺部から中央部に向かって、帯状の凸を放射線状に形成したことを特徴とする。なおかつ、容器本体の容器本体の内側中央部に、被調理物から出る肉汁や脂などの流動物を溜めることができる凹みを形成したことを特徴とする中敷不要の電子レンジ用蒸し器。
【請求項２】
容器本体および蓋体が陶磁器製やガラス製および合成樹脂製であることを特徴とする請求項１記載の電子レンジ用蒸し器。
【考案の詳細な説明】
【技術分野】
【０００１】
本考案は、一般の蒸し器と同じような調理効果を、電子レンジを用いて実現させることができる電子レンジ専用の蒸し器に関するものであり、容器本体と、容器本体に被嵌される陶磁器製蓋体を備え、主として肉や魚の蒸し調理を行う際に、被調理物から出る肉汁や脂といった不要な流動物が調理品に付着して食味を損なうことがない電子レンジ用蒸し器を提供するものである。
【背景技術】
【０００２】
蒸す調理は、水蒸気の熱で食材を過熱するだけでよい手間がかからない調理法であり、そして食材の栄養や旨味を逃がし難く、更には素材の余分な脂分を落としてくれることから、ヘルシーな食べ物として非常に重宝され、古くから広く行われている。そして、蒸し調理には、当然のことながら、蒸し器が用いられている。
【０００３】
一般的に古くから用いられている蒸し器は、直火で水を沸騰させるための鍋と被調理品を入れるための蒸篭、および蓋から構成され、近年では、電子レンジでの加熱で蒸し調理ができる各種のものが提案されている。
【０００４】
例えば、底部に水を浸すことができる容器本体と、この容器本体の上に載置されて容器本体に水を浸したときに水面から離れた位置に調理品が載せられる載台と、容器本体の上に載置されて載台および調理品を囲む蓋体を備える電子レンジ用蒸し容器で構成された蒸し器が提案（特開2002-336123）されている。
【０００５】
また、容器本体と容器体内に収納可能な蒸し籠と、容器体に被嵌される蓋体とを備えた蒸し器が提案(実開平7-27417）されている。
【先行技術文献】
【特許文献】
【０００６】
【特許文献１】特開2002-336123号公報
【特許文献２】実用平7-27417号公報
【考案の概要】
【考案が解決しようとする課題】
【０００７】
従来の蒸し器は、いずれも水を入れる容器本体と中敷き、および蓋体から構成されている。この蒸し器で調理をする際は、予め被調理品を中敷の上に置き、調理終了後は被調理品を器に移し替えるといった煩わしい作業が必要である欠点があった。
【０００８】
本考案の課題は、一般の蒸し器と同じような調理効果を、電子レンジを用いて実現させることができる電子レンジ専用の蒸し器を提供することである。
【課題を解決するための手段】
【０００９】
上記目的を達成するため、容器本体において、内側底面を周辺部から中央部に向けて傾斜する凹状に形成し、該凹状に形成した表面は被調理品から出る肉汁や脂などの流動物が被調理品と接触しないために、周辺部から中央部に向かって、帯状の凸を放射線状に形成する。また、内側底面中央部には、流れ込む流動物を溜めることができる凹みを形成する。
【００１０】
以下、本発明の電子レンジ用蒸し器の実施の形態を添付の図面に基づいて説明する。図１は、蒸し器全体の縦断面図である。
【００１１】
蒸し器は、容器本体１と容器内部で発生した蒸気を逃がしにくい状態にするために、容器本体に被嵌される蓋体２で構成している。
【００１２】
容器本体１の底面内側３は被調理品から出る肉汁や脂などの流動物が容器の中央部に流れ込むように、周辺部から中央部に向けて傾斜する凹状に形成させている。
【００１３】
また、容器本体１の底面内側３表面は、被調理品から出る肉汁や脂などの食味を損なう流動物が被調理品に付着しないように周辺部から中央部に向かって、帯状の凸４を放射線状に形成させている。
【００１４】
さらには、容器本体１の中央部には、被調理品から出る肉汁や脂などの流動物を溜めることができる凹み５を形成させている。
【００１５】
周辺部から中央部に向けて傾斜する凹状に形成する底面内側３の傾斜面は、直線的な傾斜面でも曲線的な傾斜面であってもよい。
【００１６】
また、傾斜角度すなわち図１においてＸで示す周辺部と中央部の高低差は大きなものである必要はなく、肉汁や脂などの流動物が調理中に中央部へ流れる程度であればよい。
【００１７】
容器本体１に形成した図２の凹み５の形状は円に限定されるものではなく、四角であっても楕円であってもよい。またその容積は大きいものである必要はなく、肉汁や脂などの流動物が溜まる程度であればよい。
【考案の効果】
【００１８】
請求項１記載の本発明の蒸し器によれば、水を入れる必要がなく、被調理品を中敷の上に載せたり、調理品を器に移し変えたりするような煩わしい作業が必要とせずに、簡単に電子レンジで蒸し調理ができる。
【００１９】
また、加熱調理によって被調理品からでる肉汁や脂などの食味を損なう流動物が調理品に付着することを防止することができるので、美味しく調理することができる。
【００２０】
請求項１記載の本発明の蒸し器によれば、水を入れる必要がなく、非調理品を中敷の上に載せたり、調理品を器に移し変えたりするよう煩わしい作業が必要とせずに、簡単に電子レンジで蒸し調理ができる。
【００２１】
また、加熱調理によって被調理品からでる肉汁や脂などの食味を損なう流動物が調理品に付着することを防止できるので、美味しく調理することができる。
【図面の簡単な説明】
【００２２】
【図１】本実施例の全体を示す縦断面図である。
【図２】本実施例を示す容器本体の平面図である。
【考案を実施するための最良の形態】
【００２３】
最良と考える本考案の実施形態に係る電子レンジ用蒸し器について、本考案の作用を説明する。
【００２４】
この電子レンジ用蒸し器は、蓋体２は水蒸気が調理器内部より出にくくするために、ドーム状に形成し、水蒸気の逃がし孔を設けない構造とする。
【００２５】
さらには、蓋体２から流れ落ちる水滴を外部に流出させないため、蓋体２を容器本体１に被嵌させる構造にしたことにより被調理品から蒸発した水分だけで、被調理品を蒸すことができる。
【００２６】
即ち、水を沸騰させる必要もなく、中敷も必要としないので、これまでの煩わしい作業をすることなく、短時間での蒸し調理が可能となる。
【００２７】
容器本体１の底面内側３は、周辺部から中央部に向けて傾斜する凹み状に形成し、該凹み状に形成した表面は被調理品から出る肉汁や脂などの流動物が被調理品と接触しないために、周辺部から中央部に向かって、帯状の凸４を放射線状に形成する。
【００２８】
また、容器本体１の底面内側３の中央部には、流れ込む流動物を溜めることができる凹み５を形成する。
【００２９】
従って、被調理品の食味を損なう肉汁や脂などの流動物が被調理品に付着することを防止することができるので、美味しく調理することができる。
【実施例】
【００３０】
本実施例は、図１、図２に示すように、被調理品を載せる容器本体１と、容器本体１に被嵌される蓋体２とからなる電子レンジ用蒸し調理器である。
【００３１】
本実施例の容器本体１は、図１に示すように、内側底面３を周辺部から中央部に向けて傾斜する凹み状に形成し、該凹み状に形成した表面は被調理品から出る肉汁や脂などの流動物が被調理品と接触しないために、周辺部から中央部に向かって、帯状の凸４を放射線状に形成している。
【００３２】
また、内側底面３の中央部には、流れ込む流動物を溜めることができる凹み５を形成している。
【００３３】
具体的には、周辺部から中央部に向けて傾斜する凹状に形成する底面内側３の傾斜面は、直線的な傾斜面でも曲線的な傾斜面であってもよい。
【００３４】
傾斜角度すなわち図１においてＸで示す周辺部と中央部の高低差は内側底面３の直径が１５ｃｍの場合、２．５ｃｍ程度で、大きなものである必要はなく、肉汁や脂などの流動物が調理中に中央部へ流れる程度であればよい。
【００３５】
内側底面３形成した帯状の凸４の大きさは、好ましくは高さが２ｍｍ、幅が３ｍｍ程度であるが、被調理品から出た肉汁や脂などの流動物が被調理品と接触しない程度であればよい。
【００３６】
また、内側底面３に形成した帯状の凸４の間隔は、好ましくは５ｍｍから２０ｍｍ程度であるが、被調理品から出た肉汁や脂などの流動物が被調理品と接触しない程度であればよい。
【００３７】
容器本体１に形成した図２に示す凹み５の形状は円に限定されるものではなく、四角であっても楕円であってもよく、その大きさは好ましくは直径が３５ｍｍ程度で深さが２ｍｍ程度であるが、必要以上に大きいものである必要はなく、肉汁や脂などの流動物が溜まる程度であればよい。
【００３８】
図１において、蓋体２の形状は水蒸気が調理容器内部より出にくくするために、ドーム状に形成し、水蒸気の逃がし孔を設けない構造としているが、ドーム状に限定されるものではなく、水蒸気が調理容器内部より出にくい凸状であればよい。
【００３９】
さらには、蓋体２から流れ落ちる水滴を外部に流出させないため、蓋体２を容器本体１に被嵌させる構造にしたことにより被調理品から蒸発した水分だけで、被調理品を蒸すことができる。
【００４０】
即ち、本考案は、水を沸騰させる必要もなく、中敷も必要としないので、これまでのような煩わしい作業をすることなく、電子レンジで美味しい蒸し調理が可能となる。
【符号の説明】
【００４１】
１  容器本体  
２  蓋本体
３  容器内側底面
４  帯状の凸
５  容器内側中央部の凹
Ｘ  容器底面周辺部と中央部の高低差
【図１】
0003160143.tif 000003
【図２】
0003160143.tif 000004
【手続補正書】
【提出日】平成22年3月19日(2010.3.19)
【手続補正１】
【補正対象書類名】実用新案登録請求の範囲
【補正対象項目名】全文
【補正方法】変更
【補正の内容】
【実用新案登録請求の範囲】
【請求項１】
容器本体と蓋体で構成されている蒸し器の容器本体において、内側底面を周辺部から中央部に傾斜する凹状に形成し、該凹状に形成した表面は被調理物から出る肉汁や脂などが被調理物と接触しないために、周辺部から中央部に向かって、帯状の凸を放射線状に形成し、さらに、容器本体の内側中央部に、被調理物から出る肉汁や脂などの流動物を溜めることができる凹みを形成したことを特徴とする中敷不要の電子レンジ用蒸し器。
【請求項２】
容器本体および蓋体が陶磁器製やガラス製および合成樹脂製であることを特徴とする請求項１記載の電子レンジ用蒸し器。